(57)【特許請求の範囲】
【請求項１】
コンロ部の上部を覆う五徳プレートを左右対称に２分割し、この２分割された一方の五徳プレートの接合縁部に樋部を形成し、該樋部の奥行側端部は、コンロ部の奥行側バーナー部に配設された汁受皿へとふきこぼれた汁を導くように形成されていることを特徴とする加熱器具。
【発明の詳細な説明】
【０００１】
【発明の属する技術分野】
この発明は、ガステーブル等の加熱器具に係り、特に、トッププレートを廃止し、これに代えて五徳プレートを用いたことを特徴とする加熱器具に関する。
【０００２】
【従来の技術】
従来の加熱器具としては、キャビネットの天板に開設された開口に加熱器具を落とし込むビルトインタイプのものが公知である。
【０００３】
この従来の加熱器具としては、例えば、実開昭６４−５００７号に示すように、コンロ部の上部をトッププレートで覆い、このトッププレートには、吹きこぼれた汁を受ける略凹状に形成された汁受皿部を一体に形成すると共に、この汁受皿部の中央部にバーナーが挿通される穴を形成し、かつ、この汁受皿部の上部に五徳を着脱自在に配設して構成されていた。
【０００４】
しかしながら、上記従来の加熱器具にあっては、上記トッププレートはコンロ部にビス等で固着されていたため、該トッププレートをコンロ部から取り外すのが非常に煩雑であり、また、上記汁受皿部がトッププレートと一体に形成されているため、上記トッププレートをコンロ部から取り外さなければ、溜った汁を捨てて丸洗いすることができないため、結局は、布等で拭き取る他はなく、汚れを完全に落とすことができない、という問題を有していた。
【０００５】
このような問題を解決するため、本出願人は、トッププレートを廃止し、これに代えて、左右対称に２分割した五徳プレートを用いた加熱器具を先に提案している。
【０００６】
【発明が解決しようとする課題】
しかしながら、本出願人が先に提案した加熱器具にあっては、左右対称に２分割した五徳プレートの対向縁部が単に接合しているだけの構成であったため、この接合縁部から吹きこぼれた汁がコンロ内部へと流入し、コンロ内部を汚すだけでなく、汁が固まってコンロ部が発錆したり作動不良を起し易い、という課題を有していた。
【０００７】
この発明は、かかる現状に鑑み創案されたものであって、その目的とするところは、トッププレートを廃止し、これに代えて、左右対称に２分割した五徳プレートを用いた加熱器具において、この２分割された五徳プレートの接合縁部に流入する吹きこぼれた汁等を、コンロ内部に流下させることなく、奥行側に配設された汁受皿に導くように構成することで、丸洗いを容易に行うことができることは勿論、コンロ内部が発錆したり作動不良を起す心配が全く生じない加熱器具を提供しようとするものである。
【０００８】
【課題を解決するための手段】
上記目的を達成するため、この発明に係る加熱器具にあっては、コンロ部の上部を覆う五徳プレートを左右対称に２分割し、この２分割された五徳プレートの接合縁部に樋部を形成し、該樋部の奥行側端部は、コンロ部の奥行側バーナー部に配設された汁受皿へとふきこぼれた汁を導くように形成されていることを特徴とするものである。
【０００９】
【発明の実施の形態】
以下、添付図面に示す発明の実施の一形態例に基づき、この発明を詳細に説明する。
【００１０】
図１乃至図４は、この発明の実施の一形態例に係るビルトインタイプのガステーブル１を示しており、このガステーブル１は、コンロ部１０と、このコンロ部１０のバーナー回りに配設される汁受皿２０，２１，２２と、五徳プレート３０と、から構成されている。
【００１１】
コンロ部１０は、上方が開口したコンロ本体１１の手前側左右に配設されたバーナー１２，１３と、コンロ本体１１の奥行側に配設されたバーナー１４と、から構成されている。尚、図中符号１５はグリル１６の排気を行う排気カバーを、符号１７は前飾りを夫々示している。また、上記バーナー１２，１３，１４には従来のガステーブルと同様、ガス配管が連通接続されている。
【００１２】
汁受皿２０，２１，２２は、上記コンロ本体１１の開口周縁部に着脱自在に載置されるもので、その中央部に開設された穴に上記バーナー１２，１３，１４が挿入されるように構成されている。尚、これら汁受皿２０，２１，２２は、ホーローで形成する方が、汁がこびりつかないので望ましい。
【００１３】
五徳プレート３０は、鋳物やホーロー或は金属で左右対称に２分割されて形成されており、これら左右の五徳プレート体３１，３２は、一体化された状態で上記コンロ部１０の開口部を覆う大きさに形成されている。
【００１４】
この左右の五徳プレート体３１，３２は、平板状のランド部と、このランド部から上方に立ち上がり形成された複数本の脚部と、から構成されている。
【００１５】
そして、上記左側の五徳プレート体３１の手前側には、汁受皿２０の上部を開放する穴３５が開設されていると共に、奥行側には、汁受皿２２の左側上部を開放する平面形状が逆コ字状に形成された半穴３６が開設されている。
【００１６】
また、上記右側の五徳プレート体３２の手前側には、汁受皿２１の上部を開放する穴３７が開設されていると共に、奥行側には、汁受皿２２の右側上部を開放する平面形状がコ字状に形成された半穴３８が開設されている。
【００１７】
そして、上記左側の五徳プレート体３１の接合側縁部３９には、手前側から奥行側に沿って断面形状が略凹状に形成された樋部４０が形成されており、この奥行側端部は、コンロ部１０の奥行側に配設された汁受皿２２に臨むように形成されている。尚、この樋部４０は、五徳プレート体３１と一体に形成し、或は、折り曲げ形成し、さらには、別体に形成された樋部４０を五徳プレート体３１の接合縁部３９に溶接等の手段で固定してもよい。勿論、この樋部４０は、他方の五徳プレート体３２の接合縁部に形成しても同様の効果が得られる。
【００１８】
この形態例に係るガステーブル１は、以上説明したように、五徳プレート体３１，３２が左右に２分割形成されてコンロ部１０の上部に載置されているため、五徳プレート体３１，３２及び汁受皿２０，２１，２２の取り外しが非常に容易で、丸洗いも容易に行うことができる。
【００１９】
また、上記五徳プレート３１体の接合縁部３９には、樋部４０が形成されているため、五徳プレート体３１，３２の接合部間隙に入り込んだ吹きこぼれ汁は、上記樋部４０で受けられて、コンロ部１０の奥行側に配設された汁受皿２２へと導かれ、該汁受皿２２に溜るように構成されているので、コンロ部１０の内部にふきこぼれた汁が溜って固まる心配がなく、その結果、コンロ部１０の内部を常に清潔に保つことができるので、コンロ部１０の内部が錆びたり、機能部品の作動不良を招く虞れも生じない。
【００２０】
尚、本形態例では、加熱器具としてビルトインタイプのガステーブルに本発明を適用した場合を例にとり説明したが、この発明にあってはこれに限定されるものではなく、普通のガスコンロは勿論、電気コンロにも適用することができ、さらに、コンロ口も３口に限定されるものではない。
【００２１】
【発明の効果】
この発明に係る加熱器具は、以上説明したように、トッププレートを廃止し、これに代えて、左右対称に２分割した五徳プレートを用いた加熱器具において、この２分割された五徳プレートの接合縁部に流入するふきこぼれた汁等を、コンロ内部に流下させることなく、奥行側に配設された汁受皿に導くように構成したので、五徳プレート及び汁受皿を容易に丸洗いすることができると共に、コンロ内部が発錆したり作動不良を起す心配が全く生じない等、幾多の優れた効果を奏する。
【図面の簡単な説明】
【図１】この発明の実施の一形態例に係るガステーブルの斜視図である。
【図２】同ガステーブルの五徳プレートの構成を示す分解斜視図である。
【図３】同五徳プレートを連結した状態を示す斜視図である。
【図４】同ガステーブルの要部構成を示す断面図である。
【符号の説明】
１  ガステーブル
１０  コンロ部
１４  奥行側バーナー部
２２  汁受皿
３０  五徳プレート
３１  左側の五徳プレート体
３２  右側の五徳プレート体
３９  五徳プレート体の接合縁部
４０  樋部
【図１】
0003724760.tif 000002
【図２】
0003724760.tif 000003
【図３】
0003724760.tif 000004
【図４】
0003724760.tif 000005